【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
被測定者の健康状態を表わす測定値を、情報取得装置に対して送信する測定データ通信装置であって、
上記測定値に対応する測定名と当該測定名に対応するコード値とを通信情報として、上記情報取得装置に対して送信する通信情報送信手段と、
上記コード値と上記測定値とから測定データを生成する測定データ生成手段と、
を有することを特徴とする測定データ通信装置。
【請求項２】
上記コード値は、１バイトであることを特徴とする請求項１に記載の測定データ通信装置。
【請求項３】
上記コード値は、複数バイトであることを特徴とする請求項１に記載の測定データ通信装置。
【請求項４】
上記通信情報送信手段が上記通信情報を送信しない場合、上記測定データ生成手段は、上記測定名を示すデータと上記測定値とから上記測定データを生成することを特徴とする請求項１に記載の測定データ通信装置。
【請求項５】
上記通信情報送信手段は、
上記コード値と、上記測定名を示すデータと、上記測定名を示すデータの長さを示すデータ長識別子とを含む単位通信情報、および、
通信情報であることを示す通信モード識別子を、上記通信情報として送信することを特徴とする請求項１ないし３の何れか１項に記載の測定データ通信装置。
【請求項６】
上記通信情報送信手段は、上記測定名を示すデータに文字列を使用する場合には、上記単位通信情報に、使用する文字コードに応じたコード識別子を付加して送信することを特徴とする請求項５に記載の測定データ通信装置。
【請求項７】
上記通信情報送信手段は、上記単位通信情報のデータフレームにおける先頭あるいは末尾に測定名であることを示すデータ識別子を配置させ、このように上記測定名であることを示すデータ識別子を配置させた単位通信情報を複数まとめて上記通信情報を送信することを特徴とする請求項５または６に記載の測定データ通信装置。
【請求項８】
上記通信情報送信手段は、上記単位通信情報に対して、
上記測定名に関する付帯条件のデータと、
付帯条件付き単位通信情報であることを示すデータ識別子とを付加して送信することを特徴とする請求項５ないし７の何れか１項に記載の測定データ通信装置。
【請求項９】
上記測定データ生成手段は、
上記コード値と、上記測定値を示すデータと、上記測定値を示すデータの長さを示すデータ長識別子と、測定値であることを示す測定データ識別子とを含む単位測定データ、および、
測定データであることを示す通信モード識別子を、上記測定データとして生成することを特徴とする請求項１に記載の測定データ通信装置。
【請求項１０】
上記測定データ生成手段は、上記単位測定データに対して、
上記測定値に関する付帯条件のデータと、
付帯条件付き単位測定データであることを示す測定データ識別子とを付加することを特徴とする請求項９に記載の測定データ通信装置。
【請求項１１】
上記測定値に関する付帯条件には、上記測定値を測定した環境条件、測定値の属性、測定精度、被測定者の状態、上記測定値を計測する測定機器の設置状態、の少なくとも何れか１つが含まれることを特徴とする請求項１０に記載の測定データ通信装置。
【請求項１２】
上記測定データ生成手段は、
上記付帯条件付き単位測定データを複数まとめて上記測定データを生成することを特徴とする請求項１０または１１に記載の測定データ通信装置。
【請求項１３】
上記測定データ生成手段は、
共通の付帯条件を有する付帯条件付き単位測定データ同士を、当該共通の付帯条件でまとめて、測定群データとして上記測定データを生成し、
上記測定群データは、
上記共通の付帯条件を１回のみ含み、
さらに、共通の付帯条件を持つ複数の単位測定データの組であることを示す
測定データ識別子が付加されている、
ことを特徴とする請求項１２に記載の測定データ通信装置
【請求項１４】
上記測定データ生成手段は、
上記測定群データを複数まとめて上記測定データを生成することを特徴とする請求項１３に記載の測定データ通信装置。
【請求項１５】
請求項１ないし１４の何れか１項に記載の測定データ通信装置と被測定者の健康情報を測定するセンサとを有し、
上記センサが測定した値を上記測定値とすることを特徴とする健康情報通信装置。
【請求項１６】
ネットワークを介して、被測定者の健康状態を表わす測定値を少なくとも含む測定データを受信する第１通信手段と、
受信した上記測定データに含まれる測定値に対応する測定名を認識し、上記測定データを一定の書式に変換する測定データ変換手段と、を備える情報取得装置であって、
上記測定データ変換手段は、
上記測定データに上記測定名に対応するコード値が含まれており、上記測定データに
含まれる測定値に対応する測定名と、当該測定名に対応するコード値との関係を示す通
信情報を受信している場合には、当該通信情報と上記測定データに含まれるコード値と
により上記測定名を認識し、
上記測定データに上記測定名を示すデータが含まれている場合には、当該測定名を示
すデータにより上記測定名を認識する、
ことを特徴とする情報取得装置。
【請求項１７】
さらに、上記データ変換手段にて変換された上記測定データを、高速の通信媒体を介して、健康サービスのデータベースもしくは健康サービスの提供者に対して送信する第２通信手段を備えることを特徴とする請求項１６に記載の情報取得装置。
【請求項１８】
上記第１通信手段は、受信した上記測定データを送信した装置に対して、上記測定データに対する上記通信情報を送信するように要求情報を送信することを特徴とする請求項１６または１７に記載の情報取得装置。
【請求項１９】
被測定者の健康状態を表わす測定値を、情報取得装置に対して送信する測定データ通信装置の制御方法であって、
上記測定値に対応する測定名と当該測定名に対応するコード値とを通信情報として、上記情報取得装置に対して送信する通信情報送信ステップと、
上記コード値と上記測定値とから測定データを生成する測定データ生成ステップと、
を含むことを特徴とする測定データ通信装置の制御方法。
【請求項２０】
ネットワークを介して、被測定者の健康状態を表わす測定値を少なくとも含む測定データを受信する測定データ通信ステップと、
受信した上記測定データに含まれる測定値に対応する測定名を認識し、上記測定データを一定の書式に変換する測定データ変換ステップと、を含み、
上記測定データ変換ステップでは、
上記測定データに上記測定名に対応するコード値が含まれており、上記測定データに
含まれる測定値に対応する測定名と、当該測定名に対応するコード値との関係を示す通
信情報を受信している場合には、当該通信情報と上記測定データに含まれるコード値と
により上記測定名を認識し、
上記測定データに上記測定名を示すデータが含まれている場合には、当該測定名を示
すデータにより上記測定名を認識する、
ことを特徴とする情報取得装置の制御方法。
【請求項２１】
被測定者の健康状態を表わす測定値に対応する測定名と上記測定名に対応するコード値とを通信情報として送信する通信情報送信手段と、
上記コード値と上記測定値とから測定データを生成する測定データ生成手段と、
上記通信情報および上記測定データを受信する受信手段と、
上記通信情報を基に、上記測定データに含まれるコード値により測定値の測定名を認識し、上記測定データを一定の書式に変換する測定データ変換手段と、
を含むことを特徴とする測定データ通信システム。
【請求項２２】
上記通信情報送信手段が、上記通信情報を送信しない場合、
上記測定データ生成手段は、上記測定名を示すデータと上記測定値とから上記測定データを生成し、
上記測定データ変換手段は、上記測定データに含まれる測定名のデータにより測定値の測定名を認識する、
ことを特徴とする請求項２１に記載の測定データ通信システム。
【請求項２３】
上記通信情報送信手段と上記測定データ生成手段と含む測定データ通信装置を複数備えることを特徴とする請求項２１または２２に記載の測定データ通信システム。
【請求項２４】
請求項１ないし１４の何れか１項に記載の測定データ通信装置が備える上記各手段をコンピュータに実現させる測定データ通信装置の制御プログラム。
【請求項２５】
請求項２４に記載の測定データ通信装置の制御プログラムを記録したコンピュータ読み取り可能な記録媒体。
【請求項２６】
請求項１６ないし１８の何れか１項に記載の情報取得装置が備える上記各手段をコンピュータに実現させる情報取得装置の制御プログラム。
【請求項２７】
請求項２６に記載の情報取得装置の制御プログラムを記録したコンピュータ読み取り可能な記録媒体。
【手続補正２】
【補正対象書類名】明細書
【補正対象項目名】全文
【補正方法】変更
【補正の内容】
【発明の詳細な説明】
【発明の名称】測定データ通信装置、健康情報通信装置、情報取得装置、測定データ通信システム、測定データ通信装置の制御方法、情報取得装置の制御方法、測定データ通信装置の制御プログラム、およびコンピュータ読み取り可能な記録媒体
【技術分野】
【０００１】
本発明は、測定値の実際の測定名をコードで認識する情報取得装置に対して測定データを送信する測定データ通信装置、測定データ通信装置の制御方法、測定データ通信装置の制御プログラム、および記録媒体等に関するものである。特に、ユーザの健康状態（身体情報、生体情報）を測定した測定データを送信する健康情報通信装置や、宅内の健康情報収集装置（宅内ゲートウェイ）で複数の測定データを収集するシステム等に関するものである。
【背景技術】
【０００２】
従来の高速通信を用いた通信システムでは、データ通信を行う場合にはＸＭＬ（Extensible Markup Language）や独自の規格などを使用し、必要な測定条件付きのデータを送信することが可能である。これらのデータは、データとして属性等が明確に設定されている。そのため、システムでのデータ解析および各規格に応じたデータ変換が必要なく、データ自体の有効性がある。また、第三者により解析可能なデータであるため、データの再利用を行うことも可能である。
【０００３】
しかし、低速通信では同内容のデータを送信すると、大きな通信時間がかかってしまう。このため低速通信における従来の通信システムでは、通信装置は、データの項目をコード変換などして必要最小限のデータのみを送信するようにしていた。そして、データ間の依存関係は事前に定められた規格等の内容に則して受信側の装置で変換処理を行うことで対応し、実際に必要である共通利用可能なデータの作成を行っていた。
【特許文献１】特開平８−６８２８号（１９９６年１月１２日公開）データ処理方式
【特許文献２】特表平９−５０３３２６（１９９７年３月３１日公表）データの格納および取り出しの方法ならびにその装置
【特許文献３】特開２００１−１０３０７９（２００１年４月１３日公開）データ送受信装置およびデータ送受信方式
【特許文献４】特開２００３−３３３１０７（２００３年１月２１日公開）機器、ゲートウェイ装置および機器認証方式
【非特許文献１】ECHONET SPECIFICATION APPENDIX ECONET 機器オブジェクト詳細規定 Ver2.11 Release a（エコーネットコンソーシアム、２００２年４月２６日発行）
【非特許文献２】バイタル・データ通信仕様書（V1.0 JAHIS）−宅内制御装置とバイタルセンサ・アダプタ間−（保健医療福祉情報システム工業会  地域医療システム委員会、２００１年１月発行）
【発明の開示】
【発明が解決しようとする課題】
【０００４】
しかし、上記のように低速通信における従来のシステムでは、通信媒体（ネットワーク）に接続できる通信装置は、受信側の装置がその通信装置固有の変換手段を持った装置に限定されるという問題がある。
【０００５】
また、通信フォーマット自体を汎用形式にした非特許文献１に記載のECHONET規格の装置においても、データ項目の規定は装置の種類ごとに異なった内容が設定されており、新たな項目を追加すると、以前のシステムでのデータの変換は行うことができないという問題がある。さらに、装置独自の機能を追加した場合には、その機能はメーカー独自となり、機能等の共用を行うことができないという問題がある。そのため、インターネット等を介して、装置メーカーから変換データを入手する手段もある。しかし、基本的なシステムとして構成された機器のみで構成されたシステムで、インターネット等の外部の通信インフラとは接続せずに独立した状態にある、すなわち、スタンダードアローンなシステムでは、実現ができないという問題もある。
【０００６】
また、データ間の依存関係に関しても、受信側の装置で変換することを前提にしているため、システムにデータ変換可能な装置（ECHONET規格では、対応する機器オブジェクトを持った装置）が存在しなければ、同じ通信媒体に接続した装置間でのデータの通信を行うことができないという問題もある。
【０００７】
また、健康情報収集装置で取り扱うデータに関しても、非特許文献２に規定されているバイタル・データ通信仕様では、高速通信環境でありながら、使用する機器が限定されているうえ、装置ごとの内容が事前に規定し固定したコードに１個の個別項目を記述する規格である。そのため、健康情報通信装置で汎用的に使用するには制約条件が大きいという問題があった。
【０００８】
また、低速な通信媒体を使用する従来の健康情報通信装置では、伝送するデータ量を削減し通信効率を上げることにより、通信時間の増加を防いでいる。このデータ量削減として実際には次のようなことが行われる。すなわち、データ通信を行う場合に測定名を直接記述すると、測定名のデータ配列の長さが必要となりそのデータ長に応じた通信時間がかかるため、規格等で決められた測定名を任意のユニークなコードに変換してコード値を用いて測定値の通信を行っている。規格等がない状態でデータ量削減してデータ通信を行うと、コード値の長さを限定することにより、割り付けられる測定名のパターンが限定される。そのため、おなじようなフレーズの測定名では、健康情報通信装置毎にコード値に対する測定名が重複してしまう可能性が発生する。また、メーカー毎ではコードの割り振りが任意となるので、様々な機器が混在したシステムでは、測定名の限定は不可能となる。
【０００９】
また、測定名に対してコード値をユニークに割り振る方法もあるが、健康情報通信装置で使用する測定名を限定してコード値を決めなければ、使用するコード値数が膨大になる。測定名を限定しなければ、コード値のデータ長が大きくなりデータ量の削減の効果がなくなるという問題点がある。また、測定名を限定してしまうと新規の項目の追加が困難になるという問題点がある。
【００１０】
また、受信した測定データのみでは測定名が不明のため解析ができないという問題点がある。このため従来は、システムの設置時点で、そのネットワークに接続する健康情報通信装置は既知の装置であるため、事前に通信コードを解析できるアプリケーションに書き込むことでデータ解析が行われていた。システムの構成が変化した場合は、外部のネットワークを介して必要な情報によりシステムをアップグレードするという方法で対応していた。しかしこのようなシステムでは、アプリケーションを取得できるネットワークに接続しないスタンダードアローンな環境で使用された場合に、通信に関する情報が取得できない。また、新規の機能を搭載した測定装置が導入された場合には、その装置に関する情報公開および規格等で正式に採用されるまでは、装置提供者等によって対応したアプリケーションの提供が遅れるといった問題点もある。
【００１１】
また、低速な通信媒体を使用する従来の健康情報収集装置では、データ量が通信時間に影響するため通信するデータ量を削減し通信効率を上げたデータを収集している。実際には、規格としてデータ通信で使用する共通の測定項目を限定し、限られたコード値に対して測定名の割り振りを行うか、規格として測定装置の種類ごとに測定名とコード値の割り振りを決め、コード値の個数制限を回避してきた。このため何れの場合でも、測定名とコード値の組み合わせは健康情報収集装置のソフトウェアの作成時に、規格に基づいた値や構成される装置を事前に想定して作成されているため、規格に存在しない設定値や機能を持った健康情報通信装置等がシステムに追加された場合には、受信したデータの解析およびデータ変換を行うことができない。また、外部の通信媒体を介して健康情報収集装置の制御ソフトウェアのアップグレードを行う方法で対応できるが、この場合は端末までのシステム管理が必要になる。またスタンダードアローンな環境で使用された場合には情報の更新が行えない。
【００１２】
本発明は、上記の問題点に鑑みてなされたものであり、その目的は、どのような場合においても、測定データを送信すると、情報収集装置に、コード値に対する測定名を認識させることができる測定データ通信装置等を実現することにある。
【課題を解決するための手段】
【００１３】
本発明に係る測定データ通信装置は、上記課題を解決するために、被測定者の健康状態を表わす測定値を、情報取得装置に対して送信する測定データ通信装置であって、
上記測定値に対応する測定名と当該測定名に対応するコード値とを通信情報として、上記情報取得装置に対して送信する通信情報送信手段と、上記コード値と上記測定値とから測定データを生成する測定データ生成手段と、を有することを特徴としている。
【００１４】
また、本発明に係る測定データ通信装置は、上記課題を解決するために、測定値の実際の測定名を、コード値または実際の測定名の文字列で認識する情報取得装置に対して、測定データを送信する測定データ通信装置であって、上記測定名に対する任意のコード値と上記測定値とから測定データを生成する測定データ生成手段と、上記任意のコード値と上記測定名との対応関係を通信情報として生成する通信情報生成手段とを有し、上記情報取得装置に対して、上記測定データを送信するより前に上記通信情報を送信することを特徴としている。
【００１５】
本発明に係る測定データ通信装置の制御方法は、上記課題を解決するために、被測定者の健康状態を表わす測定値を、情報取得装置に対して送信する測定データ通信装置の制御方法であって、上記測定値に対応する測定名と当該測定名に対応するコード値とを通信情報として、上記情報取得装置に対して送信する通信情報送信ステップと、上記コード値と上記測定値とから測定データを生成する測定データ生成ステップと、を含むことを特徴としている。
【００１６】
また、本発明に係る測定データ通信装置の制御方法は、上記課題を解決するために、測定値の実際の測定名を、コード値または実際の測定名の文字列で認識する情報取得装置に対して、測定データを送信する測定データ通信装置の制御方法であって、上記測定名に対する任意のコード値と上記測定値とから測定データを生成する測定データ生成ステップと、上記任意のコード値と上記測定名との対応関係を通信情報として生成する通信情報生成ステップと、上記情報取得装置に対して、上記測定データを送信するより前に上記通信情報を送信する通信情報送信ステップとを有することを特徴とする。
【００１７】
上記構成および方法によると、測定値の実際の測定名とそれに対する任意のコード値との対応関係を、測定データを送信する前に送信することで、予め、その後送信するコード値に対応する実際の測定名を通知することができる。そのため、新たな測定名を持つ測定値を通信する場合においても、その測定名に対する任意のコード値を測定データより前に送信することができる。つまり、情報取得装置にコード値がどの測定名に対応しているかを予告しておくことができる。よって、どのような場合においても、測定データを送信すると、情報収集装置に、コード値に対する測定名を認識させることができる。なお、実際の測定名の文字列は、文字だけでなく数字を含んでいてもよいものとする。
【００１８】
また、実際の測定名を先に送信することで、測定データの送信時にデータ容量を増加させることなく送信することができる。よって、低速通信において、送信データに負荷をかけることなくデータ通信をすることができる。また、高速通信においては、データ通信の速度を早くすることができる。よって、ユーザに使い勝手のよい快適な通信環境を与えることができる。
【００１９】
本発明に係る測定データ通信装置は、上記構成に加え、上記コード値が、バイナリ値であってもよい。
【００２０】
上記構成によると、コード値が複雑な構成にならずに、簡単なデータ形式とすることができ、データ容量を抑えることができる。
【００２１】
本発明に係る測定データ通信装置は、上記構成に加え、上記コード値が、複数バイトであってもよい。
【００２２】
上記構成によると、コード値が１バイトで示せる２５５種類以内でない場合、つまり、測定名が２５６種類以上あっても、でも通信情報および測定データの生成を行うことができる。このように、測定名が２５６種類以上であった場合でも対応することができ、データ通信を滞りなく行うことができる。
【００２３】
本発明に係る測定データ通信装置では、上記構成に加え、上記通信情報送信手段が上記通信情報を送信しない場合、上記測定データ生成手段は、上記測定名を示すデータと上記測定値とから上記測定データを生成してもよい。
【００２４】
なお、本発明に係る測定データ通信装置では、上記構成に加え、上記通信情報生成手段が上記通信情報を生成しない測定名に対して、上記測定データ生成手段は、上記測定名と上記測定値とから測定データを生成し、上記情報取得装置に対して、上記測定名と上記測定値とからなる測定データを送信してもよい。
【００２５】
上記構成によると、測定データに実際の測定名を使用することができる。そのため、複数バイト形式の場合には、測定データの送信にコード値と実際の測定名との選択をして送信することができる。そのため、例えば、１バイトのコード値を用いた１バイト固定形式と併用することで、通信頻度の低い測定名を複数バイト形式で記載し、通信頻度の高い測定名に１バイト固定形式を使用するようにすることができる。このようにすることで、効率的なデータ通信を行うことが可能となる。また、全測定名が数バイト程度のシステムに限っては、直接実際の測定名を送信することで、情報取得装置側において測定名の変換処理することをなくすことができる。
【００２６】
本発明に係る測定データ通信装置では、上記構成に加え、上記通信情報送信手段は、上記コード値と、上記測定名を示すデータと、上記測定名を示すデータの長さを示すデータ長識別子とを含む単位通信情報、および、通信情報であることを示す通信モード識別子を、上記通信情報として送信してもよい。
【００２７】
なお、本発明に係る測定データ通信装置は、上記構成に加え、上記通信情報生成手段が、上記コード値と、上記測定名を示すデータ配列と、上記測定名を示すデータ配列の長さを示すデータ長識別子とを含む単位通信情報、および、通信情報であることを示す通信モード識別子を、上記通信情報として生成してもよい。
【００２８】
上記構成により、通信情報において任意のコード値に測定名を確実に対応させてデータを生成することができる。また、データが通信情報であることを示すことができる。
【００２９】
本発明に係る測定データ通信装置では、上記構成に加え、上記通信情報送信手段は、上記測定名を示すデータに文字列を使用する場合には、上記単位通信情報に、使用する文字コードに応じたコード識別子を付加して送信してもよい。
【００３０】
なお、本発明に係る測定データ通信装置は、上記構成に加え、上記通信情報生成手段が、上記測定名に文字列を使用する場合には、上記単位通信情報に、使用する文字コードに応じたコード識別子を付加してもよい。
【００３１】
上記構成によると、測定名に文字列を用いても、測定名がどの文字コードで記載されているのかを示すことができる。
【００３２】
本発明に係る測定データ通信装置では、上記構成に加え、上記通信情報送信手段は、上記単位通信情報のデータフレームにおける先頭あるいは末尾に測定名であることを示すデータ識別子を配置させ、このように上記測定名であることを示すデータ識別子を配置させた単位通信情報を複数まとめて上記通信情報を送信してもよい。
【００３３】
なお、本発明に係る測定データ通信装置は、上記構成に加え、上記通信情報生成手段が、上記単位通信情報のデータフレームにおける先頭あるいは末尾に上記測定名であることを示すデータ識別子を配置させ、このように上記測定名であることを示すデータ識別子を配置させた単位通信情報を複数まとめて通信情報を生成してもよい。
【００３４】
上記構成によると、単位通信情報を複数まとめて送信することができる。そのため、通信媒体のトラフィックを減少させることができる。また、単位通信情報毎の区切りは、測定名であることを示すデータ識別子によってそれぞれ、識別することができる。
【００３５】
本発明に係る測定データ通信装置では、上記構成に加え、上記通信情報送信手段は、上記単位通信情報に対して、上記測定名に関する付帯条件のデータと、付帯条件付き単位通信情報であることを示すデータ識別子とを付加して送信してもよい。
【００３６】
なお、本発明に係る測定データ通信装置は、上記構成に加え、上記通信情報生成手段が、上記単位通信情報に対して、上記測定名に関する付帯条件のデータと、付帯条件付き単位通信情報であることを示すデータ識別子とを付加してもよい。
【００３７】
上記構成によると、測定名に関する付帯条件を通信情報として送信することができ、測定名に関する詳細な情報の通知を行うことができる。付帯条件は、測定名に関するものであるので通信中に変化しないため、一度送ればその後に送信する必要がない。そのため、測定データ送信時のデータ量を増加させることなく、付帯条件の通知を行うことができる。なお、測定名に関する付帯条件としては、例えば、測定単位、その変化ステップ等が挙げられるが、これらには限定されない。
【００３８】
また、上記単位通信情報のデータフレームにおける先頭あるいは末尾に付帯条件付き単位測定情報であることを示すデータ識別子に配置させ、このような単位通信情報を複数まとめて通信情報を生成すると、付帯条件付き単位通信情報を複数まとめて送信することができる。付帯条件付き単位通信情報毎の区切りは、付帯条件付き単位通信情報であることを示すデータ識別子によって識別することができる。
【００３９】
本発明に係る測定データ通信装置では、上記構成に加え、上記測定データ生成手段は、上記コード値と、上記測定値を示すデータと、上記測定値を示すデータの長さを示すデータ長識別子と、測定値であることを示す測定データ識別子とを含む単位測定データ、および、測定データであることを示す通信モード識別子を、上記測定データとして生成してもよい。
【００４０】
なお、本発明に係る測定データ通信装置は、上記構成に加え、上記測定データ生成手段が、上記コード値と、上記測定値を示すデータ配列と、上記測定値を示すデータ配列の長さを示すデータ長識別子と、測定値であることを示す測定データ識別子とを含む単位測定データ、および、測定データであることを示す通信モード識別子を、上記測定データとして生成してもよい。
【００４１】
上記構成により、測定値にコード値を確実に付随させた測定データを作成することができる。また、データが測定データであることを示すことができる。
【００４２】
本発明に係る測定データ通信装置は、上記構成に加え、上記測定データ生成手段が、上記単位測定データに対して、上記測定値に関する１つ以上の付帯条件のデータと、付帯条件付き単位測定データであることを示す測定データ識別子とを付加してもよい。
【００４３】
上記構成によると、測定値に関する付帯条件を送信することができ、測定値に関する詳細な情報の通知を行うことができる。なお、測定値に関する付帯条件とは、測定した環境条件および属性、測定精度、被測定者の状態、測定機器の設置状態等が挙げられるが、これに限定はされない。
【００４４】
本発明に係る測定データ通信装置は、上記構成に加え、上記測定データ生成手段が、上記付帯条件付き単位測定データを複数まとめて測定データを生成してもよい。
【００４５】
上記構成によると、付帯条件付き単位測定データを複数まとめて送信することができるため、通信媒体のトラフィックを減少させることができる。また、付帯条件付きの測定データであることを示す測定データ識別子を、上記単位測定データのデータフレームにおける先頭あるいは末尾に配置させることで、夫々の単位測定データを区別して送信することができる。
【００４６】
本発明に係る測定データ通信装置は、上記構成に加え、上記測定データ生成手段は、共通の付帯条件を有する付帯条件付き単位測定データ同士を、当該共通の付帯条件でまとめて、測定群データとして上記測定データを生成し、上記測定群データは、上記共通の付帯条件を１度のみ含み、さらに、共通の付帯条件を持つ複数の単位測定データの組であることを示す測定データ識別子が付加されていてもよい。
【００４７】
なお、本発明に係る測定データ通信装置は、上記構成に加え、上記測定データ生成手段が、付帯条件を持つ複数の単位測定データの中から、同じ付帯条件付き単位測定データ同士で付帯条件を共通化し、かつ、共通な付帯条件を持つ複数の単位測定データの組であることを示す測定データ識別子を付加し、測定群データとして、測定データを生成してもよい。
【００４８】
上記構成によると、測定データにおいて、測定値に関して同じ付帯条件は、１回しか搭載しなくてよいので、同内容の付帯条件の多重送信を防ぐことによりデータ容量の削減を行うことができる。
【００４９】
また、共通の付帯条件でまとめることができる複数の測定値のまとまりを送信することができるため、例えば、即時性の要求されない測定時間の異なった複数回の測定値をまとめて伝送することもできる。この場合、即時性が要求される測定データの送信の合間に送信することで、通信媒体の有効利用を行うことができる。
【００５０】
また、共通の付帯条件でまとめられた測定群データは、データ自体が共通条件と測定値となり、測定値に関しても測定値と状態および個別の付帯条件を表すことができる。そのため、データ自体の信頼性および必要性等を含めてデータ解析が可能となる。
【００５１】
本発明に係る測定データ通信装置は、上記構成に加え、上記測定データ生成手段が、
上記測定群データを複数まとめて測定データを生成してもよい。
【００５２】
上記構成によると、複数の群データをまとめて送信することができるため、通信媒体のトラフィックを減少させることができる。また、共通な付帯条件を持つ複数の単位測定データの組であることを示す測定データ識別子を、上記測定群データのデータフレームにおける先頭あるいは末尾に配置させることで、夫々の測定群データを区別して送信することができる。
【００５３】
本発明に係る健康情報通信装置は、上記課題を解決するために、上記の何れかに記載の測定データ通信装置と被測定者の健康情報を測定するセンサとを有し、上記センサが測定した値を上記測定値とすることを特徴とする。
【００５４】
上記構成によると、センサが測定した健康情報の測定名とそれに対応する任意のコード値との対応関係を送信することで、予め、その後送信するコード値に対応する実際の健康情報の測定名を通知することができる。よって、どのような場合においても、測定データを送信すると、通信相手に、コード値に対応する健康情報の測定名を認識させることができる。
【００５５】
また、センサが測定した健康情報の測定名を先に送信することで、測定データの送信時にデータ容量を増加させることなく送信することができる。
【００５６】
本発明に係る情報取得装置は、上記課題を解決するために、ネットワークを介して、被測定者の健康状態を表わす測定値を少なくとも含む測定データを受信する第１通信手段と、受信した上記測定データに含まれる測定値に対応する測定名を認識し、上記測定データを一定の書式に変換する測定データ変換手段と、を備える情報取得装置であって、
上記測定データ変換手段は、
上記測定データに上記測定名に対応するコード値が含まれており、上記測定データに
含まれる測定値に対応する測定名と、当該測定名に対応するコード値との関係を示す通
信情報を受信している場合には、当該通信情報と上記測定データに含まれるコード値と
により上記測定名を認識し、
上記測定データに上記測定名を示すデータが含まれている場合には、当該測定名を示
すデータにより上記測定名を認識する、
ことを特徴としている。
【００５７】
また、本発明に係る情報取得装置は、上記課題を解決するために、ネットワークを介して上記何れか記載の測定データ通信装置から通信情報および測定データを受信し、受信した測定データに含まれる、コード値または実際の測定名の文字列により測定値の測定名を認識し、上記測定データを一定の書式に変換することを特徴とする。
【００５８】
本発明に係る情報取得装置の制御方法は、上記課題を解決するために、ネットワークを介して、被測定者の健康状態を表わす測定値を少なくとも含む測定データを受信する測定データ通信ステップと、受信した上記測定データに含まれる測定値に対応する測定名を認識し、上記測定データを一定の書式に変換する測定データ変換ステップと、を含み、
上記測定データ変換ステップでは、
上記測定データに上記測定名に対応するコード値が含まれており、上記測定データに
含まれる測定値に対応する測定名と、当該測定名に対応するコード値との関係を示す通
信情報を受信している場合には、当該通信情報と上記測定データに含まれるコード値と
により上記測定名を認識し、
上記測定データに上記測定名を示すデータが含まれている場合には、当該測定名を示
すデータにより上記測定名を認識する、ことを特徴としている。
【００５９】
また、本発明に係る情報取得装置の制御方法は、上記課題を解決するために、ネットワークを介して上記何れかに記載の測定データ通信装置から通信情報を受信する通信情報受信ステップと、上記通信情報受信ステップの後に測定データを受信する測定データ受信ステップと、受信した測定データに含まれる、コード値または実際の測定名の文字列により測定値の測定名を認識し、上記測定データを一定の書式に変換する変換ステップとを有することを特徴とする。
【００６０】
上記構成および方法によると、測定データ受信前に、コード値と測定値の測定名との対応関係を先に受信しているため、どのような場合においても、受信した測定データのコード値に対する測定名を認識することができる。よって、同じ測定名であってもコード値が違う測定データを受信した場合でも、それぞれの測定データを同じ書式に変換することができる。そのため、どのような場合においてもデータを共通化して利用することができる。
【００６１】
本発明に係る情報取得装置では、上記構成に加え、上記第１通信手段は、受信した上記測定データを送信した装置に対して、上記測定データに対する上記通信情報を送信するように要求情報を送信してもよい。
【００６２】
なお、本発明に係る情報取得装置は、上記構成に加え、受信した測定データのコード値が認識できないと、当該測定データを送信した上記測定データ通信装置に対して、当該測定データに対する上記通信情報を送信するように要求情報を送信する要求情報送信手段を備えていてもよい。
【００６３】
上記構成によると、測定データにおいてコード値が認識できない場合には、通信情報を送信してもらうことができるので、常に、測定値の測定名をコード値で認識することができる。よって、常に測定名が同じ測定データを同じ書式に変換することができる。
【００６４】
本発明に係る健康情報収集装置は、上記課題を解決するために、ネットワークを介して上記に記載の健康情報通信装置から上記通信情報および上記測定データを受信し、受信した測定データに含まれる、コード値または実際の測定名の文字列により測定値の測定名を認識し、上記測定データを一定の書式に変換することを特徴とする。
【００６５】
上記構成によると、健康情報通信装置からの測定データを受信する前に、コード値とセンサが測定した健康情報の測定名との対応関係を先に受信しているため、同じ測定名であってもコード値が違う測定データを受信した場合でも、それぞれの測定データを同じ書式に変換することができる。そのため、どのような場合においてもデータを共通化して利用することができる。よって、例えば、データ解析する際には、どのような場合でも測定データの解析を行うことができる。
【００６６】
本発明に係る測定データ通信システムは、上記課題を解決するために、被測定者の健康状態を表わす測定値に対応する測定名と上記測定名に対応するコード値とを通信情報として送信する通信情報送信手段と、上記コード値と上記測定値とから測定データを生成する測定データ生成手段と、上記通信情報および上記測定データを受信する受信手段と、上記通信情報を基に、上記測定データに含まれるコード値により測定値の測定名を認識し、上記測定データを一定の書式に変換する測定データ変換手段と、を含むことを特徴としている。
【００６７】
また、本発明に係る測定データ通信システムは、上記課題を解決するために、測定値の測定名に対する任意のコード値と上記測定値とから測定データを生成し、かつ、上記任意のコード値と上記測定名との対応関係を通信情報として生成し、上記測定データを送信するより前に上記通信情報を送信する測定データ通信装置と、ネットワークを介して、上記測定データ通信装置から上記通信情報および上記測定データ受信し、上記測定データに含まれる、コード値または実際の測定名の文字列により測定値の測定名を認識し、上記測定データを一定の書式に変換する情報取得装置とを備えたことを特徴とする。
【００６８】
上記構成によると、どのような場合においても、測定データ通信装置から測定データを送信すると、情報収集装置においてコード値からその測定値の測定名を認識することができる、通信システムを形成することができる。よって、新たな測定名が設定されて任意のコード値を付けて測定データを送信した場合でも、測定名が同じ測定データは、情報取得装置において同じ書式に変換することができる。
【００６９】
本発明に係る測定データ通信システムでは、上記構成に加え、上記通信情報送信手段と上記測定データ生成手段と含む測定データ通信装置を複数備えていてもよい。
【００７０】
なお、本発明に係る測定データ通信システムは、上記構成に加え、上記測定データ通信装置を複数備えてもよい。
【００７１】
上記の構成によると、情報取得装置は、複数の測定データ通信装置から上記通信情報および上記測定データ受信し、測定名が同じ測定データは同じ書式で記憶し、全ての測定データを管理することができる。
【００７２】
なお、上記測定データ通信装置は、コンピュータによって実現してもよく、この場合には、コンピュータを上記各手段として動作させることにより上記測定データ通信装置をコンピュータにて実現させる測定データ通信装置の制御プログラム、及びその測定データ通信装置の制御プログラムを記録したコンピュータ読み取り可能な記録媒体も、本発明の範疇に入る。
【００７３】
これらの構成によれば、測定データ通信装置の制御プログラムを、コンピュータに読み取り実行させることによって、上記測定データ通信装置と同一の作用効果を実現することができる。
【００７４】
また、上記測定情報取得装置を、コンピュータによって実現してもよく、この場合には、コンピュータを上記各手段として動作させることにより上記測定情報取得装置をコンピュータにて実現させる測定データ通信装置の制御プログラム、及びその測定データ通信装置の制御プログラムを記録したコンピュータ読み取り可能な記録媒体も、本発明の範疇に入る。
【発明の効果】
【００７５】
本発明に係る測定データ通信装置は、以上のように、上記測定名に対する任意のコード値と上記測定値とから測定データを生成する測定データ生成手段と、上記任意のコード値と上記測定名との対応関係を通信情報として生成する通信情報生成手段とを有し、上記情報取得装置に対して、上記測定データを送信するより前に上記通信情報を送信する。
【００７６】
上記構成によると、測定値の実際の測定名とそれに対する任意のコード値との対応関係を、測定データを送信する前に送信することで、予め、その後送信するコード値に対応する実際の測定名を通知することができる。よって、どのような場合においても、測定データを送信すると、情報収集装置に、コード値に対する測定名を認識させることができる。
【００７７】
また、実際の測定名を先に送信することで、測定データの送信時にデータ容量を増加させることなく送信することができる。よって、低速通信において、送信データに負荷をかけることなくデータ通信をすることができる。また、高速通信においては、データ通信の速度を早くすることができる。よって、ユーザに使い勝手のよい快適な通信環境を与えることができる。
【００７８】
本発明に係る情報取得装置は、以上のように、ネットワークを介して上記測定データ通信装置から通信情報および測定データを受信し、受信した測定データに含まれる、コード値または実際の測定名の文字列により測定値の測定名を認識し、上記測定データを一定の書式に変換する。
【００７９】
上記構成によると、測定データ受信前に、コード値と測定値の測定名との対応関係を先に受信しているため、どのような場合においても、受信した測定データのコード値に対する測定名を認識することができる。よって、同じ測定名であってもコード値が違う測定データを受信した場合でも、それぞれの測定データを同じ書式に変換することができる。そのため、どのような場合においてもデータを共通化して利用することができる。
【発明を実施するための最良の形態】
【００８０】
本発明を適用した実施の一形態について図１〜１７を用いて説明すると以下の通りである。なお、以下の本実施形態では、本発明に係る測定データ通信装置を、健康情報通信装置の構成の一部として使用するものとして説明するが、これに限されるものではない。また、本発明に係る情報取得装置を健康情報収集装置として使用するものとして説明するが、これに限定はされない。
【００８１】
図２は、本実施形態の生体情報収集システム（測定データ通信システム）３０の構成を示す。図２に示されるように、本実施形態の生体情報収集システム３０では、複数の本実施形態の健康情報通信装置１０と、本実施形態の健康情報収集装置２０とから構成される。生体情報収集システム３０では、健康情報通信装置１０および健康情報収集装置２０は、低速な通信媒体（ネットワーク）４０を介して被測定者の健康情報等データの伝送を行う。ただし、高速な通信媒体を使用する場合であっても、問題なく使用できるシステムである。この場合は、通信時間の削減することができる。
【００８２】
（健康情報通信装置の構成）
次に、本実施形態の健康情報通信装置１０の構成について、図１を用いて説明する。図１に示すように健康情報通信装置１０は、測定データ通信装置１、センサ１１、操作パネル１２とからなる。
【００８３】
測定データ通信装置１は、制御部２、通信部３、記憶部４とからなる。
【００８４】
制御部２は、健康情報通信装置１０における各種構成の動作を統括的に制御する。また、制御部２は、通信情報を生成する通信情報生成部５、測定データを生成する測定データ生成部６、センサ１１から測定値および測定値に関する付帯条件のデータを取得する測定実行部７、操作パネル１２を用いて利用者により入力された設定情報を取得する情報設定部８とを備えている。なお、通信情報および測定データについては、後段で詳細に説明する。
【００８５】
制御部２は、例えば低速処理系である組み込み機器のＣＰＵによって構成される。しかし、ＰＣ（Personal Computer）ベースのコンピュータによって構成されてもよい。そして、各種構成の動作制御は、制御プログラムをコンピュータに実行させることによって行われる。このプログラムは、例えば、ＲＯＭ（Read Only Memory）上に記憶されたものであってもよいし、ＣＤ−ＲＯＭなどのリムーバブルメディアに記録されているものを読み出して使用する形態であってもよいし、ハードディスクなどにインストールされたものを読み出して使用する形態であってもよい。また、この制御部２がインターネットなどの通信ネットワークに接続された構成とする場合、この通信ネットワークを介して上記プログラムをダウンロードしてハードディスクなどにインストールして実行する形態なども考えられる。
【００８６】
通信部３は、低速な通信媒体４０を介して宅内もしくは宅外の健康情報収集装置とデータ通信する。
【００８７】
記憶部４は、電源バックアップ付きＲＡＭ（Random Access Memory）もしくはフラッシュメモリもしくはハードディスクなどの不揮発性の記憶装置によって構成されるものである。この記憶部４に記憶される内容としては、上記した制御プログラム、およびその他各種プログラム、健康情報通信装置にごとに設定されたバイナリ値（コード値）と測定名の対応関係データ、測定データ、処理データ等が挙げられる。
【００８８】
センサ１１は、被測定者の健康情報（身体情報、生体情報）を測定する。ここで、健康情報として、例えば、体重、体脂肪、血圧、体温等が挙げられるが、これらには限定されない。なお、センサは１つ設けられていても、複数設けられていてもかまわない。
【００８９】
操作パネル１２は、被測定者に関する情報と測定の条件とについて利用者の操作入力を受付ける。つまり、利用者は、操作パネルを用いて被測定者に関する情報と測定の条件との設定情報を設定することができる。
【００９０】
健康情報通信装置１０は、測定データや設定情報や通信情報といった外部に伝送する情報を、通信部３を用いて通信媒体４０を介してデータの通信を行う。また健康情報通信装置１０は、通信媒体４０を介して通信部３から他の通信装置からの通信情報の要求情報を受信し、通信情報を要求元に通信部３を用いて通信媒体４０を介して通信を行う。
【００９１】
（健康情報通信装置の動作）
健康情報通信装置１０の動作を図３のフローチャートを用いて説明する。
【００９２】
健康情報通信装置１０は、ステップ１（以降、Ｓ１のように称する）において電源が投入されると、Ｓ２において、装置の初期化処理を行う。そして、Ｓ３において、通信情報の送信を行う。Ｓ３では、通信情報生成部５は、健康情報通信装置ごとに設定されたバイナリ値と測定名の対応関係データを保持した記憶部４からデータを取り出し、通信部３用いて外部通信媒体４０を介して通信相手に通信情報の通知を行う。
【００９３】
Ｓ４で、健康情報通信装置１０は健康情報の測定が行われるか否かを判断する。測定が行われると判断すると（Ｓ４においてＹＥＳ）Ｓ５に進み、測定が行われないと判断すると（Ｓ４においてＮＯ）Ｓ９に進む。
【００９４】
Ｓ５では、利用者により、操作パネルを用いて被測定者に関する情報と測定の条件との設定情報を設定する設定が行われる。そしてＳ６に進む。
【００９５】
Ｓ６では、センサ１１により被測定者の健康情報の測定が行われる。
【００９６】
Ｓ７では、測定データ生成部６が、Ｓ６で得られた測定値とＳ３で送信したコード値とを用いて測定データを生成し、Ｓ８に進む。
【００９７】
Ｓ８では、通信部３により、測定データを送信し、Ｓ９に進む。
【００９８】
Ｓ９では、他の装置から通信情報の要求を行う要求情報を受信したか否かを判断する。要求情報がないと判断すると（Ｓ９においてＮＯ）Ｓ４に戻る。要求情報があると判断すると（Ｓ９おいてＹＥＳ）、Ｓ１０で通信情報の送信を行い、Ｓ４に戻る。このように要求情報を受信したか否かの確認を行うことで、システム構成および状態の変化が発生した場合にも情報の通知を行うことができる。このようにすることで、送信先の装置が変更されたなど健康情報通信装置の情報を持たない健康情報収集装置や他の健康情報通信装置が通信情報を取得できる。
【００９９】
（健康情報収集装置の構成）
次に本実施形態の健康情報収集装置２０について図４を用いて説明する。図４に示す様に、健康情報収集装置２０は、通信部２１、記憶部２２、制御部２３、データ変換部２４、通信部２５とをそなえる。
【０１００】
通信部（要求情報送信手段）２１は、低速な通信媒体４０を介してひとつもしくは複数個の健康情報通信装置１０とデータ通信する。また、健康情報通信装置１０から通信情報を受信しない場合には、通信情報の送信を要求するための要求情報を健康情報通信装置１０に送信する。
【０１０１】
制御部２３は、健康情報収集装置２０における各種構成の動作を統括的に制御する。制御部２３は、例えば低速処理系である組み込み機器のＣＰＵによって構成される。しかし、ＰＣベースのコンピュータによって構成されてもよい。ＰＣベースのコンピュータによって構成される。そして、各種構成の動作制御は、制御プログラムをコンピュータに実行させることによって行われる。このプログラムは、例えばＲＯＭ上に記憶されたものであってもよいし、ＣＤ−ＲＯＭなどのリムーバブルメディアに記録されているものを読み出して使用する形態であってもよいし、ハードディスクなどにインストールされたものを読み出して使用する形態であってもよい。また、この制御部２がインターネットなどの通信ネットワークに接続された構成とする場合、この通信ネットワークを介して上記プログラムをダウンロードしてハードディスクなどにインストールして実行する形態なども考えられる。
【０１０２】
記憶部２３は、電源バックアップ付きＲＡＭもしくはフラッシュメモリもしくはハードディスクなどの不揮発性の記憶装置によって構成されるものである。この記憶部２２に記憶される内容としては、上記した制御プログラム、およびその他各種プログラム、健康情報通信装置１０から送信された通信情報、測定データ等が挙げられる。
【０１０３】
データ変換部２４は、記憶部２３から、測定データを抽出し、健康サービスのデータベースもしくは健康サービス提供者が必要な、例えば、被測定者毎のデータといった項目毎にデータ変換する。
【０１０４】
通信部２５は、高速な通信媒体４１を介して健康サービスのデータベースもしくは健康サービスの提供者に対して、データ変換部２４でデータ変換した測定データを個別もしくはまとめて伝送する通信部２５とを有する。
【０１０５】
なお、健康情報通信装置１０が他の健康情報通信装置からのデータを受信することができる場合は、その健康情報通信装置１０は健康情報収集装置となることができるものとする。この場合の健康情報収集装置は健康サービス側の通信媒体４１に繋がった通信部２５は持たない。
【０１０６】
健康情報収集装置２０は、健康情報通信装置１０からの測定データや設定情報や通信情報および要求情報といった情報を、通信部２１を用いて通信媒体４０を介してデータ伝送を行う装置である。また健康サービスや異なった目的のサービスとデータの交換を行うために、異なった通信部２５を用いて外部の通信媒体４１を介してデータの交換を行う装置である。
【０１０７】
（健康情報収集装置の動作）
健康情報収集装置２０の動作を図５のフローチャートを用いて説明する。
【０１０８】
健康情報収集装置２０は、Ｓ３１において電源投入されると、Ｓ３２において、装置の初期化処理を行う。その後、健康情報通信装置１０から送信される測定データの受信待ちを行うメインのシーケンスループに入る。
【０１０９】
メインのシーケンスループでは、Ｓ３３において測定データの受信があるか否かを判断する。受信があれば、Ｓ３４に、受信がなければ、Ｓ４０に進む。
【０１１０】
Ｓ３４で、送信データの保存を行いＳ３５に進む。Ｓ３５では、通信情報を保持しているか否かを確認する。保持していれば、Ｓ３８に進み、保持していなければ、Ｓ３６に進む。Ｓ３６では、通信情報の要求を行う。つまり、要求情報を送信する。そしてＳ３７に進む。Ｓ３７では、通信情報の保存を行い、Ｓ３８に進む。Ｓ３８では、測定データを一定の書式の共通データに変換する。そしてＳ３９に進む。Ｓ３９では、Ｓ３８で変換した共通データを健康サービスのデータベースもしくは健康サービスの提供者に対して送信する。そして、Ｓ３３にもどる。
【０１１１】
Ｓ４０では、通信情報の受信があるか否かを判断する。無いと判断すると、Ｓ３３に戻り、あると判断すると、Ｓ４１に進む。Ｓ４１では、通信情報を記憶部２３に保存し、Ｓ３３に戻る。
【０１１２】
以上の様に、健康情報収集装置２０の電源投入された場合には通信情報を通知するため、メインのシーケンスループで通信情報の受信確認を行う。通信情報の通知があれば記憶手段に記憶させる。メインのシーケンスループで健康情報通信装置１０から送信される測定データの受信があった場合は、送信元の健康情報通信装置の通信情報が記憶手段に保持されているかを確認し、保持されていなければ通信情報の要求を送信元の健康情報通信装置に送信し送信元の通信情報を取得する。通信情報と測定データの両方が取得できれば、健康情報収集装置は健康サービスやサービス提供のためのデータベースにデータを送信するため、ＸＭＬや独自のフォーマットデータの作成するためにデータ変換を行って共通データを作成する。その共通データを健康サービスや他のサービスに送信する。
【０１１３】
以上の様に、生体情報収集システム３０では、健康情報通信装置１０が自体の性能に応じた測定名等の通信情報を通信先に通知することができるため、伝送するデータに対しての必要十分な通信情報の提供が可能となる。また、健康情報通信装置ごとに通信情報が通知できるので、その装置だけが必要としている測定項目の使用が可能となり、装置ごとに任意のコード値に対して測定項目を設定しても解析が可能である。新規測定機能の追加があった場合にもファームウェアでコード値に対する追加の割り振りが可能となる。また、機能アップ等で使用しなくなった測定機能の削除も容易に行うことが可能となり、健康情報通信装置１０の最新の情報を通知することができる。
【０１１４】
また、生体情報収集システム３０では、事前に通知された通信情報を保持し利用できる健康情報収集装置２０を用いるため、どのような状況でもデータ解析可能なシステムを構成できる。また、健康情報収集装置２０の変更や装置が再スタートした場合は、健康情報収集装置２０が健康情報通信装置１０に関する通信情報を保持していないため、必要な健康情報通信装置１０に対して通信情報の要求を行うことができるため、通信情報の取得が可能である。よって、あらゆる状況においても最新の健康情報通信装置１０の通信情報でデータ収集可能なシステム構成となる。
【０１１５】
次に健康情報通信装置１０において通信情報生成手段が生成する通信情報の例について説明する。なお、以下は単なる例であって、通信情報のデータの並びや内容等は、以下に限定されない。
【０１１６】
（通信情報の例１）
本例の通信情報は、通信モード識別子と、単位通信情報とからなる。
【０１１７】
通信モード識別子は、データが、測定データか通信情報かを識別する為の識別子である。通信モード識別子の一例を図６に示す。データフレームのヘッダ部もしくはデータ部に１バイトの領域を識別子として確保し、その識別子のビットフィールドの一部を使用してデータ通信か通信情報かの識別フィールドを確保する。また、同識別子のビットフィールドに通知か要求かの識別フィールドを確保して、通信情報の通知か要求かの識別を行ってもよい。
【０１１８】
ここでは、通信情報であるために、上記通信モード識別子を通信情報に設定する。そして、コード値としてのバイナリ値と測定名とを含む単位通信情報をその後に記述する。単位通信情報は複数まとめて直列に記述してもよい。バイナリ値と測定名を記述する形式は、バイナリ値のデータ長に応じてデータ長識別子とバイナリ値とを記述する形式とする。ただし、バイナリ値を１バイトとする場合は、データ長は一意に決まるためデータ長識別子は付加しない。つまり、バイナリ値は１バイトであっても、複数バイトであってもよい。複数バイトであると、測定名が２５６種類以上であった場合でも対応することができる。測定名の記述形式は、測定名のデータ長識別子の付加と測定名の文字コードを示すコード識別子と測定名のデータ配列とを記述する形式とする。
【０１１９】
なお、記述形式における記述順に特に制約を持たせるものではないが、バイナリ値と測定名との各部分の識別子の並びは同じ規則になるようにする。コード値としてバイナリ値を用いることで、コード値が複雑な構成にならずに、簡単なデータ形式とすることができ、データ容量を抑えることができる。
【０１２０】
通信情報における単位通信情報のデータ形式の一例を図９に示す。図９に示す様に、単位通信情報のデータ形式は、コード値（バイナリ値）の長さを表すデータ長識別子と、コード値（バイナリ値）と、測定名の文字コードを示すコード識別子と、測定名のデータ長識別子と実際の測定名のデータ配列とが、順番に記述されている。このような形式のコード値ごとのデータを一組（単位通信情報）にして複数個列挙するデータを生成することで、全ての測定名に関する通信情報の通知を行うことが可能となる。単位通信情報を複数まとめて生成することで、複数まとめて送信することができる。そのため、通信媒体のトラフィックを減少させることができる。また、単位通信情報毎の区切りは、測定名であることを示すデータ識別子をデータの先頭または末尾に付加することによって、それぞれ、識別することができる。
【０１２１】
ここで、コード値が１バイトの場合は、コード値のデータ長識別子は使用せず通信データ量の削減を行うことができる。この１バイト固定形式か複数バイト形式かの識別は、図６に示す通信モード識別子のビットフィールドに１バイトの固定形式か複数バイト形式かの識別フィールを確保することで識別することができる。
【０１２２】
なお、ここでは単位通信情報の測定名に文字列を使用する場合として、文字コードを示すコード識別子を付加したが、使用しない場合には付加しなくてもかまわない。このコード識別子により、測定名に文字列を用いても、測定名がどの文字コードで記載されているのかを示すことができる。
【０１２３】
ここで、コードの識別子の一例を図７に示す。データフレームのデータ部に１バイトの領域を識別子として確保し、その識別子のビットフィールドの一部を使用して文字コードの識別フィールドを確保する。また、同識別子のビットフィールドにコードの種類を識別する識別フィールドを確保する。この二つの識別フィールドにより、どの文字コードの文字列か数字かバイナリコードかといったコードの識別を行うことができる。
【０１２４】
また、データ長を識別するためのデータ長識別子を図８に示す。通常のデータ長識別子は識別子の値によりデータ長を示すが、このデータ長識別子は最上位ビットの値によりその値でデータ長を示す場合と、新たにデータ長カウンタを設ける場合の切り替えを行う。最上位ビットが０の場合は下位７ビットで１２７バイト長までの長さを表し、最上位ビットが１の場合になると下位７ビットが新たに設けるデータ長を示すカウンタの長さを示す、実際のデータ長はこのカウンタ値の大きさにより表される。
【０１２５】
（通信情報の例２）
本例の通信情報は、通信モード識別子と、通信情報の例１に記載した通信情報における単位通信情報に対して、測定名に関する付帯条件のデータと、付帯条件付き単位通信情報であることを示すデータ識別子とを付加したものとからなる。
【０１２６】
付帯条件付き単位通信情報であることを示すデータ識別子の一例を図１０に示す。データフレームのデータ部に１バイトの領域を識別子として確保し、その識別子のビットフィールドの一部を使用して測定名か付帯条件かの識別フィールドを確保して、測定名に関する項目か付帯条件かの識別フィールドを設定して条件付き要素の識別を行う。
【０１２７】
本例の通信情報の付帯条件付き単位通信情報のデータ形式の一例を図１１に示す。このデータ形式では、図９に示されたデータ形式の先頭に測定名であること示すデータ識別子を設け、測定名と、付帯条件との識別を行う。さらに、図９に示されたデータ形式の後ろに測定名に関する付帯条件のデータを付加する。ここで、付帯条件のデータの先頭には、データが付帯条件であることを示すデータ識別子を付加する。この付帯条件のデータのデータ形式は、図９に示したデータ形式と同じでよく、図９における実際の測定名のデータ配列（図９の「測定名」で示される部分）が、実際の付帯条件のデータ配列となる。
【０１２８】
測定名に関する付帯条件の項目は測定の内容に関係せず一定である。測定名に関する付帯条件の項目として例えば、測定値の単位や測定値の計測ステップ数などが挙げられる。これらの付帯条件を事前に通知を行うことができれば、固定の条件であるため測定ごとに何度もデータを送信しなくても、最初の内容を保持しておくことで再利用することが可能となる。このためデータ通信時の送信データの効率化を行うことができる。
【０１２９】
また、測定名と複数個の付帯条件を１組にまとめた付帯条件付き通信情報を、付帯条件付き通信情報であることを示すデータ識別子とデータ長識別子を用いて、付帯条件付き単位通信情報ごとに区別できるようにすれば、一度の通信により必要な条件付き通信情報を通知することができ、更なるデータの効率化および通信トラフィックの軽減を図ることができる。
【０１３０】
次に健康情報通信装置１０において測定データ生成手段が生成する測定データについて説明する。なお、以下は単なる例であって、測定データのデータの並びや内容等は、以下に限定されない。
【０１３１】
（測定データの例１）
測定データは、通信モード識別子と、単位測定データ（要素、測定要素、データ組）とからなる。
【０１３２】
通信モード識別子は、データが、測定データか通信情報かを識別する為の識別子である。測定データにおいても、通信モード識別子の一例は、図６に示すようなものとなる。通信モード識別子は、測定データであることを示す様に設定される。
【０１３３】
本例では、単位測定データは、コード値と、測定値であることを示す測定データ識別子と、測定値を示すデータ配列の長さを示すデータ長識別子と、測定値を示すデータ配列（図では「データ部」に対応）とを直列に記載したデータからなる。単位測定データのデータ形式は、図１２（ａ）に示すデータ組を用いる。図１２（ａ）に示すデータ形式では、測定名は１バイトのバイナリ値を用いるため、コード識別子とデータ長識別子が省略されたデータ形式となっている。これらのデータ組を複数個直列に記述して測定データとして送信してもよい。
【０１３４】
なお、測定名が１バイト以上の複数バイトになる場合は、図１２（ｂ）に示すように、図１２（ａ）の１バイトのコード値の部分を、データ長識別子と複数バイトからなるコード値とに置き換えることにより、２５５種類以上のコード値を使用する場合にも対応することができる。また、図１２（ｃ）に示すように、図１２（ｂ）のデータ長識別子と複数バイトからなるコード値とを、文字コードを示すコード識別子とデータ長識別子と複数バイトからなる測定名の文字列とに置き換えることにより、２５５種類以上の実際の測定名を使用することができる。なお、この場合には、データ部のデータ種類が測定値であることを示すコード識別子も付加して記載する。このように、測定データに実際の測定名を使用することができる。
【０１３５】
よって、複数バイト形式の場合には、測定データの送信にコード値と実際の測定名との選択をして送信することができる。また、１バイトのコード値を用いた１バイト固定形式と併用することで、通信頻度の低い測定名を複数バイト形式で記載し、通信頻度の高い測定名に１バイト固定形式を使用するようにすることができる。このようにすることで、効率的なデータ通信を行うことが可能となる。また、全測定名が数バイト程度のシステムに限っては、直接実際の測定名を送信することで、健康情報収集装置２０側において測定名の変換処理することをなくすことができる。
【０１３６】
また、単位測定データに対して、測定値に関する付帯条件のデータ（条件）と、付帯条件付き単位測定データ（条件付き要素）であることを示す測定データ識別子とを付加してもよい。このようなデータ形式の測定データを送信することにより、測定値に関する付帯条件を付けて送信することが可能となる。なお、測定値に関する付帯条件とは、測定した環境条件および属性、測定精度、被測定者の状態、測定機器の設置状態等が挙げられるが、これに限定はされない。なお、単位測定データにおいて測定値と測定値の付帯条件とを識別するために、図１０に示すような識別子を使用する。
【０１３７】
このような付帯条件付き単位測定データからなる測定データを受信すると、健康情報収集装置２０では、測定値か測定値の付帯条件（測定条件）かを識別する図１０に示す識別子を判別することのできる解析手段（図示せず）を用いて、受信した測定データの中から識別子を抽出して、測定値とその測定値の付帯条件と判別可能に記憶部２３に記憶させる。その後共通データが必要になった場合に、健康情報収集装置２０では、事前に取得している通信情報と、そのコード値に対応した付帯条件付きの測定値とを記憶部２３から読み出す。そして、健康サービス提供者もしくはサービスのデータベースで使用できるＸＭＬデータもしくはそのサービス仕様に応じたデータ形式に変換可能なデータ変換部２４を通して、一定書式で記載された共通データの作成を行う。健康サービス提供者もしくはサービスのデータベースに対して、変換して一定書式で記載した共通データを提供し、サービスの品質向上に必要なデータの信頼性の提供や測定値の精度情報の提供を可能にする。
【０１３８】
（測定データの例２）
本例の測定データは、通信モード識別子と、上記（測定データの例１）に記載した付帯条件付き単位測定データを複数まとめたものとからなる。付帯条件付きの単位測定データを１つのデータ組として、そのデータ組毎を区別するためのデータ区切りを示す識別子を設けることで、付帯条件付きの単位測定データを同時に複数送信可能にすることができる。
【０１３９】
データ区切りを示す識別子は、図１０で示した測定データ識別子のビットフィールドを追加することで実装可能である。この識別子の一例を図１４に示す。このデータ形式を使用することで、個々の付帯条件付き単位測定データに対するデータ区切りが判断できるため、付帯条件付き単位測定データを同時に複数送信可能となる。複数の単位測定データとは、同時に計測された測定値である場合も含まれるため、１回分の測定値といったようにデータをまとめて送信することが可能となる。
【０１４０】
本例の、付帯条件付き単位測定データが複数あるデータ形式は、付帯条件付き単位測定データであるデータ組に対して以下のようにする。すなわち、データ区切りを示す識別子、付帯条件付きの単位測定データのデータ長を示すデータ長識別子、データ組をこの順に直列配列させ、これらからなるデータ群を複数、直列に配列させる。
【０１４１】
なお本例では、データ組毎に設けられるデータ区切りを示す識別子は、上記（測定データの例１）で記載した付帯条件付きの測定データであることを示す測定データ識別子が、その役割を担っているため、図１３に示すデータ形式を用いる。このデータ形式は、図１２（ａ）〜（ｃ）の何れかのデータ形式のデータ組を複数直列記述したデータの前に、付帯条件付き単位測定データが複数あることを示す測定データ識別子と、付帯条件付きの複数の単位測定データのデータ長を示すデータ長識別子とを付加したものである。つまり本例の測定データは、測定データであることを示す通信モード識別子に加え、付帯条件付き単位測定データが複数あることを示す測定データ識別子、この識別子の後に、付帯条件付きの複数の単位測定データのデータ長を示すデータ長識別子、その後に、データ組を複数直列記述したもの、となる。
【０１４２】
本例の付帯条件付き単位測定データを複数含む測定データを受信すると、健康情報収集装置２０では、図１４に示す識別子を判別することのできる解析手段（図示せず）を用いて、受信した測定データの中から個別の単位測定データの抽出を行い、個々の測定値とその測定値の１つ以上の付帯条件とを単位測定データ毎にそれぞれ判別可能に、記憶部２３に記憶させる。その後共通データが必要になった場合に、健康情報収集装置２０では、事前に取得している通信情報と、そのコード値に対応した１つ以上の付帯条件付きの測定値とを記憶部２３から読み出す。そして、健康サービス提供者もしくはサービスのデータベースで使用できるＸＭＬデータもしくはそのサービス仕様に応じたデータ形式に変換可能なデータ変換部２４を通して、一定書式で記載された共通データの作成を行う。このように、一度の通信で複数の測定データを処理することが可能となり、サービスの提供の効率化および通信トラフィックの削減が可能になる。
【０１４３】
（測定データの例３）
本例の測定データは、通信モード識別子と、上記（測定データの例１）に記載した付帯条件を持つ複数の単位測定データの中から、共通な付帯条件付を持つ単位測定データ同士で付帯条件を共通化し、かつ、共通な付帯条件を持つ複数の単位測定データの組であることを示す測定データ識別子を付加したものとからなる。なお、付帯条件を共通化した複数の単位測定データの組を測定群データと呼ぶことにする。
【０１４４】
各単位測定データに付帯した付帯条件のうち、全ての単位測定データに共通する付帯条件をまとめることができれば、同じデータの重複した伝送を回避でき、データの転送効率の向上が図れる。このため共通の付帯条件か、個別の測定値か、個別の付帯条件かを判別する識別子を設ける。
【０１４５】
測定群データのデータ形式は、図１６に示すデータ形式を用いる。この場合、測定データ識別子の測定項目のビットフィールドとデータ種類のビットフィールドとの両方を共用した付帯条件付き単位測定データ（条件付き要素）の識別子を設ける。この識別子の一例を図１５に示す。この識別子が、測定群データであることを示す測定データ識別子である。このデータ形式を使用することで、個々の測定値に対する付帯条件と、例えば測定を行った測定時刻といった全ての測定値に共通する付帯条件とを、まとめて記述することができる。また、単位測定データを階層的に記述することが可能となり、付帯条件との相関関係が明確化でき、不要な付帯条件の重複記述の必要性がなくなる。そのため、最適な測定条件を含んだ複数の測定値の送信を行うことが可能となり、効率的でより詳細な測定データの送信ができる。
【０１４６】
本例の測定群データを含む測定データを受信すると、健康情報収集装置２０では、図１５に示す識別子を判別することのできる解析手段（図示せず）を用いて、データ通信で受信した測定データには複数個の単位測定データが存在する可能性があるため、個別の付帯条件付き単位測定データであるかの解析を行う。これと同時に、付帯条件付き単位測定データには、共通付帯条件か個別の測定値かの識別条件も存在するため、この識別条件の解析手段を用いて、受信した測定データを共通付帯条件と測定値の各項目別に記憶部２３に記憶させる。その後共通データが必要になった場合に、健康情報収集装置２０では、事前に取得している通信情報と、そのコード値に対応した複数の付帯条件付きの単位測定データとを記憶部２３から読み出す。そして、健康サービス提供者もしくはサービスのデータベースで使用可能な階層構造データに変換可能なデータ変換部２４を通して、一定書式で記載された共通データの作成を行う。測定に関した共通条件が事前に抽出されているため、健康情報収集装置２０側での共通データ検索によるデータの加工行わずに、サービスの品質向上に必要なデータの信頼性の提供や測定値の精度情報の提供を可能にする。
【０１４７】
（測定データの例４）
本例の測定データは、通信モード識別子と、上記（測定データの例３）に記載した測定群データを複数まとめたものとからなる。
【０１４８】
この測定群データは共通条件でまとめられることから、１回の測定データとしての設定が可能である。複数回の測定群データをまとめて送る場合には、各測定群データのデータ区切りを識別可能な識別子が必要となる。
【０１４９】
測定群データ毎のデータ区切りを示す識別子は、図１５に示した測定データ識別子のビットフィールドを追加することで実装可能である。この識別子の一例を図１７に示す。このデータ形式を使用することで、個々の測定群データに対するデータ区切りが判断できるため、測定群データを同時に複数個送信可能となる。測定群データは同時に計測されたデータである場合も含まれるため、複数回のデータをまとめて送信することが可能となり、リアルタイム性を要求しないデータであれば、まとめて一括伝送することが可能となる。
【０１５０】
本例の、測定群データが複数あるデータ形式は、測定群データに対して以下のようにする。すなわち、測定群データであることを示す測定データ識別子、測定群データのデータ長を示すデータ長識別子、および、測定群データを、この順に直接配列させ、これらからなるデータ群を複数、直列に配列させる。
【０１５１】
なお本例では、データ群毎のデータ区切りを示す識別子は、上記（測定データの例３）で記載した測定群データであることを示す測定データ識別子が、その役割を担っている。そのため、本例のデータ形式は、図１６のデータ形式の測定群データを複数直列記述したデータの前に、測定群データが複数あることを示す測定データ識別子と、複数の測定群データのデータ長を示すデータ長識別子とを付加したものである。つまり本例の測定データは、測定データであることを示す通信モード識別子に加え、測定群データが複数あることを示す測定データ識別子、この識別子の後に、複数の測定群データのデータ長を示すデータ長識別子、その後に、測定群データを複数直列記述したもの、となる。
【０１５２】
本例の複数の測定群データを含む測定データを受信すると、健康情報収集装置２０では、データ通信で受信した測定データには複数個の測定群データが存在する可能性があるため、図１７に示す識別子を判別することのできる解析手段（図示せず）を用いて、受信した測定データの中から個別の測定群データの抽出を行い、個々の測定群データに対しては構造化データとして記憶手段に記憶させる。その後共通データが必要になった場合には、健康情報収集装置２０では、事前に取得している通信情報と、そのコード値に対応した複数の付帯条件付きの単位測定データとを記憶部２３から読み出す。そして、健康サービス提供者もしくはサービスのデータベースで使用できるＸＭＬデータもしくはそのサービス仕様に応じたデータ形式に変換する。複数の測定群データを一括もしくは個別に抽出する手段によりデータを集めた後、データ変換部２４を通すことで必要とするデータ量に対応した一定書式で記載された共通データの作成を行うことができる。このように、一度の通信で複数の測定データを処理することや必要なデータのみの選択が可能であり、サービスの提供の効率化および通信トラフィックの削減が可能となる。
【０１５３】
なお、上記実施形態の健康情報通信装置１０および健康情報収集装置２０の各部や各処理ステップは、ＣＰＵなどの演算手段が、ＲＯＭやＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の健康情報通信装置１０および健康情報収集装置２０の各種機能および各種処理を実現することができる。また、上記プログラムをリムーバブルな記録媒体に記録することにより、任意のコンピュータ上で上記の各種機能および各種処理を実現することができる。
【０１５４】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【０１５５】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【０１５６】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０１５７】
また、インターネットを含む通信ネットワークを接続可能なシステム構成であれば、通信ネットワークからプログラムをダウンロードするように流動的にプログラムを担持する記録媒体であることが好ましい。
【０１５８】
さらに、このように通信ネットワークからプログラムをダウンロードする場合には、そのダウンロード用のプログラムは予め本体装置に格納しておくか、あるいは別な記録媒体からインストールされるものであることが好ましい。
【０１５９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１６０】
本発明は、測定データの通信を行う情報通信の分野に利用できる。また、データ通信として汎用性および通信効率がよいため、情報通信システム中の低速通信回線を利用した部分的システムだけにも利用することができる。特に、健康情報通信装置でユーザの健康状態を測定した測定データを送信し、宅内の健康情報収集装置（宅内ゲートウェイ）で複数の測定データを収集し、健康サービス提供者にてユーザの健康管理を行うシステムにおいて利用することができる。
【図面の簡単な説明】
【０１６１】
【図１】本実施の形態に係る健康情報通信装置の構成を示すブロック図である。
【図２】本実施の形態に係る生体情報収集システムの構成を示すブロック図である。
【図３】本実施の形態に係る健康情報通信装置の動作を示すフローチャートである。
【図４】本実施の形態に係る健康情報収集装置の構成を示すブロック図である。
【図５】本実施の形態に係る健康情報収集装置の動作を示すフローチャートである。
【図６】通信コード識別子の例を示す図である。
【図７】コード識別子の例を示す図である。
【図８】データ長識別子の例を示す図である。
【図９】単位通信情報のデータ形式の例を示す図である。
【図１０】データ種類を識別するデータ識別子の例を示す図である。
【図１１】付帯条件付き単位通信情報のデータ形式の例を示す図である。
【図１２】（ａ）〜（ｃ）は、単位測定データのデータ形式の例を示す図である。
【図１３】付帯条件付き単位測定データのデータ形式の例を示す図である。
【図１４】単位測定データを識別する測定データ識別子の例を示す図である。
【図１５】付帯条件付き単位測定データを識別する測定データ識別子の例を示す図である。
【図１６】測定群データのデータ形式の例を示す図である。
【図１７】測定群データを識別する測定データ識別子を示す図である。
【符号の説明】
【０１６２】
１    測定データ通信装置
２    制御部
３    通信部（通信情報送信手段）
４    記憶部
５    通信情報生成部（通信情報生成手段）
６    測定データ生成部（測定データ生成手段）
１０  健康情報通信装置
１１  センサ
１２  操作パネル
２０  健康情報収集装置（情報取得装置）
２１  通信部（第１通信手段）
２２  制御部
２３  記憶部
２４  データ変換部
２５  通信部（第２通信手段）
３０  生体情報収集システム（測定データ通信システム）
４０  通信媒体（ネットワーク）
４１  通信媒体